(57)【特許請求の範囲】
【請求項１】
天板面と、該天板面の左右両辺縁から夫々連成された下方へ４５°傾斜する二つの下方傾斜板面と、両側の下方傾斜板面から夫々２７０°折りかえされて内方へ傾斜する二つの内方傾斜板面とが周方向で連成され、かつ下部に、前後方向の人頭の出入を可能とする程度に開口する挿入口が形成された筐体を備え、
該筐体内部で、各々左右二つの下方傾斜板面と、内方傾斜板面の内面を鏡面とするとともに、
筐体の内部で、一方の内方傾斜板面に対して平行となる使用位置に退去可能に保持され、該使用位置で内方傾斜板面と対向する面を鏡面とする可動補助鏡板を備え、
さらに前記筐体の左右両側縁にあって、支軸により、前記筐体を使用者の頭部の中心に合致する高さ位置で、前後方向に回動可能に支持するとともに、
筐体を、支軸を中心に回動して、挿入口が下方となる位置と、該位置から、９０°前後方向に回転した位置とに変換可能とし、
可動補助鏡板を、退去位置と、一方の内方傾斜板面に対して平行となる状態に保持される使用位置とに変換可能に設けたことを特徴とする頭部用鏡装置。
【請求項２】
可動補助鏡板の上端縁を天板面に対して回動可能に支持すると共に、可動補助鏡板用駆動制御モータにより、可動補助鏡板が天板面に沿った退去位置と、一方の内方傾斜板面に対して平行となる使用位置とに自動変換制御するようにしたことを特徴とする請求項１記載の頭部用鏡装置。
【請求項３】
筐体の左右両側縁を、スタンドに支持すると共に、筐体用駆動制御モータにより筐体の角度を回転制御するようにしたことを特徴とする請求項１又は請求項２記載の頭部用鏡装置。
【発明の詳細な説明】
【技術分野】
【０００１】
本発明は、正面顔、両側頭部、頂頭部、後頭部など、頭部全面が視認可能な頭部用鏡装置に関する。
【背景技術】
【０００２】
自分の頭部を視る場合には、通常三面鏡に、手鏡をかざして行われる。ところで、この方法では、自分の頭の一部が視界を遮り、視ずらく、特に整髪や、美容後の姿を細部まで視ることができない。またあわせ鏡の場合には、その角度調整が面倒で、てぶれにより像が安定しない。さらに美容院や理容院では、前面の備え付け鏡を介して、手鏡を視るという態様で出来栄えを確認するようになされるが、距離があって、細かな確認をすることには無理がある。
そこで、体全体を見渡すことができる姿見が提案されている（例えば、特許文献１、２参照）。
【０００３】
【特許文献１】公開実用平成１−１１７２５７
【特許文献２】公開実用昭和６３−４７７６３
【発明の開示】
【発明が解決しようとする課題】
【０００４】
上述の各構成は、いずれも、着替えエリア内に入って、自分が回転するなどして、視るものであり、大型で、多面鏡からなる姿見の範疇にしかなく、ましてや頂頭部を多面的に視ることができないものであった。
本発明は、頭全体を多面的かつ段階的に視ることができ、美容院、理容院に最適な小型構造の頭部用鏡装置の提供を目的とするものである。
【課題を解決するための手段】
【０００５】
本発明は、天板面と、該天板面の左右両辺縁から夫々連成された下方へ４５°傾斜する二つの下方傾斜板面と、両側の下方傾斜板面から夫々２７０°折りかえされて内方へ傾斜する二つの内方傾斜板面とが周方向で連成され、かつ下部に、前後方向の人頭の出入を可能とする程度に開口する挿入口が形成された筐体を備え、
該筐体内部で、各々左右二つの下方傾斜板面と、内方傾斜板面の内面を鏡面とするとともに、
筐体の内部で、一方の内方傾斜板面に対して平行となる使用位置に退去可能に保持され、該使用位置で内方傾斜板面と対向する面を鏡面とする可動補助鏡板を備え、
さらに前記筐体の左右両側縁にあって、支軸により、前記筐体を使用者の頭部の中心に合致する高さ位置で、前後方向に回動可能に支持するとともに、
筐体を、支軸を中心に回動して、挿入口が下方となる位置と、該位置から、９０°前後方向に回転した位置とに変換可能とし、
可動補助鏡板を、退去位置と、一方の内方傾斜板面に対して平行となる状態に保持される使用位置とに変換可能に設けたことを特徴とする頭部用鏡装置である。
筐体の両側縁の軸支位置は、人頭の高さ位置を基準とすることにより、人頭が移動することなく、筐体の回転により次の各位置を保持することができる。
【０００６】
かかる構成にあって、筐体はスタンドなどに支持されて、回転可能となっている。
そこで、図３のように、天板面が上方位置で挿入口が下方となる定常位置で、挿入口から、頭を入れて、可動補助鏡板を一方の内方傾斜板面に対して平行となる使用位置とし、該位置で、前記内方傾斜板面を正視する。この位置で人頭の頂頭部に対して、可動補助鏡板の鏡面は４５°傾斜し、下方傾斜板面の鏡面は、可動補助鏡板の鏡面からの反射光に対して４５°傾斜し、内方傾斜板面の鏡面は、下方傾斜板面の鏡面からの反射光に対して４５°傾斜している。このため、頂頭部は、可動補助鏡板の鏡面に反射し、下方傾斜板面の鏡面に反射して内方傾斜板面の鏡面に写ることとなる。
【０００７】
側頭部を視る場合には、図４のように、可動補助鏡板が内方傾斜板面に対して平行とした位置のまま、筐体を９０°回転し、前記内方傾斜板面を視認する。これにより、側頭部が可動補助鏡板の鏡面に反射し、かつ下方傾斜板面の鏡面を反射して内方傾斜板面の鏡面に写ることとなる。
【０００８】
反対側の側頭部を視る場合には、図５のように、筐体を定常位置から反対側へ９０°回転して、内方傾斜板面を視認すればよい。
【０００９】
後頭部を視る場合には、図６のように、筐体を定常位置からいずれかの側へ９０°回転した状態で、可動補助鏡板を退去させ、一方の内方傾斜板面を視ればよい。後頭部は反対側の内方傾斜板面、反対側の下方傾斜板面及び対向する一方の下方傾斜板面の各鏡面を反射して、一方の内方傾斜板面の鏡面に写し出されることとなる。
【００１０】
自分の正面顔を視る場合には、図７のように、筐体を定常位置から９０°回転し、下方傾斜板面を正視する。これにより、そのまま自分の顔を視ることができる。この場合に可動補助鏡板を退去していても、使用位置であってもよい。
【００１１】
このように、本発明にあっては、可動補助鏡板の移動、及び筐体の９０°回転操作を介して、自分の顔、両側頭部、頂頭部、後頭部を随意に視認することが可能となる。
【００１２】
前記可動補助鏡板は、筐体を前後で遮蔽する前面板又は後面板に、４５°傾斜した溝を設けて脱着可能としたり、その上端縁を天板面に対して回動可能に軸支して、天板面に沿った退去位置と一方の内方傾斜板面と平行となる使用位置とに変換可能とすることができる。
【００１３】
この場合に、可動補助鏡板用駆動制御モータにより、可動補助鏡板を退去位置から４５°傾動して使用位置に自動変換制御するようにしてもよい。この変換制御は、駆動制御モータとしてステッピングモータを設けて、回転角度制御するなどにより実現される。尚、可動補助鏡板の側縁に係合する筐体の部位に、リミットスイッチを設け、駆動スイッチを押すと、一方の位置に回動し、当該位置でのリミットスイッチのオフ検出により、回動停止する構成によっても実現できる。
【００１４】
またに筐体の角度も回転制御するようにしても良い。この場合に、一方の回動軸に従動歯車を設け、スタンド側に設けた筐体用駆動制御モータの駆動軸に軸支した駆動歯車を従動歯車に係合させるとともに、駆動制御モータとしてステッピングモータを適用して、回転角度制御するなどにより実現される。駆動制御モータを上述と同じように、リミットスイッチにより駆動停止制御するようにしてもよい。
【００１５】
さらには、可動補助鏡板と、筐体とを夫々駆動制御モータで駆動する様にしてもよい。この場合には、その駆動態様の組合せにより、上述した図３〜図７の形態が実現できるものであるから、この組合せをマイクロプロセッサーを用いて設定することにより、選択スイッチにより、正面顔、両側頭部、頂頭部、後頭部の所望部位を選択することにより、当該部位が視認できる位置に、筐体及び可動補助鏡板を移動させることができる。またはその確認順序を予め設定しておくことにより、所定間隔で位置変換させるプログラムを構成することも可能となり、各視認態様を順次所定の順序で変換するようにして、これを一サイクルとすれば、居ながらにして、全視認態様を、逐次的に確認することが可能となる。
上述の各鏡面は、平面鏡が適用され得るが、その一部又は全部に凹面鏡や軸外放物面鏡を適用することもできる。この凹面鏡や軸外放物面鏡の適用により、像を拡張することが可能となる。また同様にその一部又は全部に凸面鏡を適用することもできる。これにより像を縮小することができるから、広い範囲で頭部を観察することが可能となる。
【発明の効果】
【００１６】
上述したように、可動補助鏡板の移動、及び筐体の９０°回転操作を介して、自分の顔正面、両側頭部、頂頭部、後頭部を随意に視認することが可能となり、頭部の各箇所を細部にわたって観察することが可能となる。また頭部のみを対象とするため、小型構造となる。
【００１７】
さらに、駆動制御モータを用いることにより、可動補助鏡板又は筐体を駆動制御するようにした構成にあっては、操作スイッチの操作により随意に所望の状態とすることができ、所望の位置を容易かつ簡易に視ることが可能となる。この場合には、使用者自身が、自由に調整することが可能となる。
【００１８】
使用者は一方向に頭部を位置決めるだけで、自分の顔、両側頭部、頂頭部、後頭部を随意に視認でき、ほとんど頭を動かす必要が無く、筐体の回動により所望の面を視ることが可能となる。
【発明を実施するための最良の形態】
【００１９】
図１，２は、本発明の頭部用鏡装置１の一実施例を示すものである。
この頭部用鏡装置１は、スタンド２に筐体２０を回動可能に支持してなるものである。
このスタンド２は、四方に延びる脚部３に支持されて上方に延出する基部筒体５に昇降支持杆６が昇降可能に挿入され、調整螺子７により高さ位置が設定されるものである。前記脚部３の各端部にはキャスタ４が軸支され、スタンド２を適宜位置に移動容易としている。昇降支持杆６の上端には吊持杆部６ａが横方向に設けられ、該吊持杆部６ａから下方へ垂持片８，８が後述する筐体２０の幅間隔とほぼ等しい間隔を置いて垂設されている。前記脚部３には、吊持杆部６ａの突出方向と反対位置に、該吊持杆部６ａに吊持される筐体２０の重さと吊り合うようにウエイト９が設けられ、頭部用鏡装置１の転倒を防止している。
【００２０】
前記垂持片８，８には、筐体２０の支軸１１，１１が軸受１５，１５を介して遊転可能に軸支され、該筐体２０を回動制御可能に支持している。また一方の垂持片８には、筐体用駆動制御モータ１２が取り付けられ、その駆動軸に固着した駆動歯車１３を、筐体２０に固定した一方の支軸１１に同軸上に固着した従動歯車１４に噛み合わせて、筐体２０を後述するように所定角度で往復駆動制御するようにしている。この支軸１１，１１の筐体２０に対する高さ位置は、使用者の頭部の中心に合致するように設定される。これにより、使用者の頭部が回転中心と一致するため、頭部に対する各鏡の離間位置はほぼ一定となり、居ながらにして各部位を各鏡により観察することが可能となる。
【００２１】
次に筐体２０の構成を説明する。
筐体２０は、天板面２１と、該天板面２１の左右両辺縁から夫々連成された下方へ４５°傾斜する二つの下方傾斜板面２２ａ、２２ｂと、傾斜板面２２ａ、２２ｂから夫々２７０度折りかえされて内方へ傾斜する二つの内方傾斜板面２３ａ、２３ｂとが周方向で連成される。また各板面２１，２２ａ、２２ｂ、２３ａ、２３ｂで覆われた空間を遮断するように、前後で、前面板２４と後面板２５とが、被着され、その全体が下面が開口する八面体となるようにしている。
【００２２】
上述したように、筐体２０の下面は開口しており、さらに前面板２４、後面版２５の下部は矩形状に切り落とされており、この切り落とし部２６，２６と、下部の開口とで、前後方向に人頭が無理なく挿入される挿入口２７を形成している。前述するように、筐体２０の回転中心を人頭に一致させるため、この頭部が挿入される挿入口２７の中心線にほぼ合致するように、支軸１１，１１が位置決められる。したがって、支軸１１，１１は筐体２０の中心よりも下方へ偏心している。
【００２３】
また下方傾斜板面２２ａ、２２ｂ内面には鏡面ｆ１、ｆ２が、内方傾斜板面２３ａ、２３ｂの内面には鏡面ｆ３、ｆ４設けられている。この鏡面ｆ１、ｆ２、ｆ３、ｆ４は、各傾斜板面２２ａ、２２ｂ、２３ａ、２３ｂを鏡で形成して、その内面を鏡面としても良く、各傾斜板面をプラスチック板等の板材で形成して、その内面に鏡を接合し、その内面を鏡面としてもよい。
【００２４】
筐体２０の内部には、一方の内方傾斜板面２３ａ（２３ｂ）に対して平行となって鏡面ｆ５が対向する使用位置に支持される可動補助鏡板３０が配設される。この可動補助鏡板３０は、内方傾斜板面２３ａ（２３ｂ）に対して平行となる使用位置と、天板面２１と平行な退去位置の何れかに保持されるものであり、天板面２１に支持された支軸３４を中心に傾動可能となっている。また、この使用位置としては、内方傾斜板面２３ａに対して平行となって鏡面ｆ５が対向する使用位置と、内方傾斜板面２３ｂに対して平行となる使用位置の二位置に変換可能としてもよく、又は一方の使用位置にのみ変換可能としてもよい。
【００２５】
この可動補助鏡板３０の駆動制御は前面板又は後面板に取り付けた可動補助鏡板用駆動制御モータ３３により制御される。すなわち前記可動補助鏡板３０の上端から側方へ突出した支軸３４，３４は前面板及び後面板を貫通して支持されると共に、一方の支軸３４に固着した従動歯車３６を駆動制御モータ３３の駆動軸に固着した駆動歯車３７に噛み合せることにより、、駆動制御モータ３３の駆動により、可動補助鏡板３０を上述した退去位置と使用位置とに変換するようにしている。この回動制御は駆動制御モータ３３を可逆ステッピングモータを用いることにより容易に制御される。この変換制御は、可動補助鏡板３０の側縁に係合するリミットスイッチを設け、駆動スイッチを駆動すると、一方の位置に回動し、当該位置でのリミットスイッチのオフ検出により回動停止する構成によつても実現できる。
【００２６】
一方、上述した筐体２０の９０°の前後方向回動制御も、筐体用駆動制御モータ１２として可逆ステッピングモータを用いることにより容易に制御される。この構成にあっても、駆動制御モータをリミットスイッチにより駆動停止制御することによって、その回動制御を行うことができる。
【００２７】
次に、筐体２０の使用形態を説明する。
図３のように、天板面２１が上方位置、挿入口２７が下方位置にある定常位置で、前記筐体２０の高さを基部筒体５に昇降支持杆６の高さを調整して、調整螺子７により固定することにより調整し、人頭Ｈが椅子に座った状態、又は立った状態で、無理なく水平移動して挿入口２７から筐体２０の内部に入ることができるように調整する。この調整により、筐体２０を回転しても、筐体２０の一部が、該筐体２０内にある頭に当たらないようにする。前面板２４及び後面板２５を切欠させたのは、回転時に人頭Ｈを害さないようにするためである。
【００２８】
このように、筐体２０を定常位置として頭を入れた状態で、駆動制御モータ３３を駆動し、可動補助鏡板３０を一方の内方傾斜板面２３ａに対して平行となる使用位置に変換する。この状態で、前記内方傾斜板面２３ａの鏡面ｆ３を正視すると、人頭Ｈの頂頭部に対して、可動補助鏡板３０の鏡面ｆ５は４５°傾斜し、下方傾斜板面２２ａの鏡面は、可動補助鏡板３０の鏡面ｆ５からの反射光に対して４５°傾斜し、内方傾斜板面２３ａの鏡面ｆ３は、下方傾斜板面２２ａの鏡面ｆ１からの反射光に対して４５°傾斜している。このため頂頭部が、可動補助鏡板３０の鏡面ｆ５に反射し、かつ下方傾斜板面２２ａの鏡面ｆ１に反射して内方傾斜板面２３ａの鏡面ｆ３に写ることとなる。図３の側傍に当該像を示す。
【００２９】
右側頭部を視る場合には、図４のように、可動補助鏡板３０を内方傾斜板面２３ａに対して平行となる使用位置のままとし、駆動制御モータ１２を駆動し、筐体を９０°回転した位置とする。この位置で、前記内方傾斜板面２３ａの鏡面ｆ３を正視する。これにより、側頭部が可動補助鏡板３０の鏡面ｆ５に反射し、かつ下方傾斜板面２２ａの鏡面ｆ１を反射して内方傾斜板面２３ａの鏡面ｆ３に写ることとなる。図４の側傍に当該像を示す。
【００３０】
反対側の左側頭部を視る場合には、図５のように、筐体２０を図３の定常位置から反対側へ９０°回転して、同様にとすればよい。図５の側傍に当該像を示す。
反対側の左側頭部を視る他の手段として、筐体２０を図４のままの９０°回転した位置として、可動補助鏡板３０の鏡面ｆ５を視ると、該左側頭部は、内方傾斜板面２３ａに反射し、かつ下方傾斜板面２２ａの鏡面ｆ１を反射して可動補助鏡板３０の鏡面ｆ５に写し出されることとなる。
【００３１】
後頭部を視る場合には、図６のように、筐体２０を図３の定常位置からいずれかの側へ９０°回転した位置とし、可動補助鏡板３０を退去させた上で、一方の内方傾斜板面２３ａを視る。後頭部は反対側の内方傾斜板面２３ｂの鏡面ｆ４、反対側の下方傾斜板面２２ｂの鏡面ｆ２及び対向する一方の下方傾斜板面２２ａの鏡面ｆ１を反射して、一方の内方傾斜板面２３ａの鏡面ｆ３に写し出されることとなる。図６の側傍に当該像を示す。
【００３２】
自分の正面顔を視る場合には、図７のように、筐体２０を９０°回転した状態のまま、下方傾斜板面２２ａを正視する。これにより、そのまま自分の顔を視ることができる。図７の側傍に当該像を示す。
【００３３】
このように、本発明にあっては、可動補助鏡板３０の移動、及び筐体の９０°回転操作を介して、自分の正面顔、両側頭部、頂頭部、後頭部を随意に視認することが可能となる。
【００３４】
上述した図３〜図６の態様にあっては、顔は常に内方傾斜板面２３ａの鏡面ｆ３を視たままとなり、静止状態で、筐体２０、可動補助鏡板３０を駆動するだけで、頭部の多面を見ることができる。また正面顔は図７のように、４５°傾斜させるだけで良い。このため、
美容院、理容院で椅子に座った状態で、筐体２０内に顔を入れ、頭部用鏡装置１を駆動するだけで、頭の全体を容易に確認することが可能となる。また、操作スイッチを自ら操作することにより、別途作業者を要することなく、自身で好みの位置に制御することもできる。
【００３５】
さらには、筐体２０と可動補助鏡板３０とを夫々駆動制御モータ１２，３３で駆動制御するようにしたものであるから、この駆動態様の組合せにより、上述した図３〜図７の形態が実現できる。従って、この組合せをマイクロプロセッサーを用いて設定することにより、操作スイッチにより、正面顔、両側頭部、頂頭部、後頭部の所望部位を選択することにより、当該部位が視認できる位置に、筐体２０及び可動補助鏡板３０を駆動することができる。またはその確認順序を予め設定しておくことにより、所定間隔で各位置を順次変換させるサイクルを全自動プログラムにより構成することも可能となる。このため、上述したように座った状態で、筐体２０、可動補助鏡板３０が順次間欠回動することにより、頭部の全体を逐次的に視認することができ、理容院、美容院で頭髪の仕上がり程度を居ながらにして確認することが可能となる。尚、各視認態様の順序は、適宜選定され得る。
ここで、各視認時間を１０秒、駆動制御モータの駆動時間を５秒とすると、７０秒程度となり、一サイクルの消化時間としては適切なものとなる。一サイクル中の各視認時間を操作スイッチにより選定可能とすることもできる。
【００３６】
上述の構成にあって、前記可動補助鏡板３０は、筐体２０を前後で遮蔽する前面板２４又は後面板２５に、４５°傾斜した溝を設けて脱着可能とすることもできる。
【図面の簡単な説明】
【００３７】
【図１】本発明に係る頭部用鏡装置１の概要斜視図である。
【図２】筐体２０の縦断側面図である。
【図３】頭頂部を視認する使用状態を示す筐体２０の縦断側面図であり、側傍に写される像を示す。
【図４】右側頭部を視認する使用状態を示す筐体２０の縦断側面図であり、側傍に写される像を示す。
【図５】左側頭部を視認する使用状態を示す筐体２０の縦断側面図であり、側傍に写される像を示す。
【図６】後頭部をを視認する使用状態を示す筐体２０の縦断側面図であり、側傍に写される像を示す。
【図７】正面顔を視認する使用状態を示す筐体２０の縦断側面図であり、側傍に写される像を示す。
【符号の説明】
【００３８】
１  頭部用鏡装置  
２  スタンド   
１１，１１  支軸
１２  筐体用駆動制御モータ
２０  筐体
２１  天板面
２２ａ、２２ｂ  下方傾斜板面
２３ａ、２３ｂ  内方傾斜板面
２７  挿入口
３０  可動補助鏡板
３３  可動補助鏡板用駆動制御モータ
ｆ１〜ｆ５  鏡面
【要約】
【課題】頭全体を多面的かつ段階的に視ることができ、美容院、理容院での使用に最適な構造の頭部用鏡装置の提供を目的とする。
【解決手段】天板面２１と、該天板面２１の左右両辺縁から夫々連成された下方へ４５°傾斜する二つの下方傾斜板面２２ａ、２２ｂと、両側の下方傾斜板面から夫々２７０度折りかえされて内方へ傾斜する二つの内方傾斜板面２３ａ、２３ｂとが周方向で連成され、かつ下部に、前後方向の人頭Ｈの出入を可能とする程度に開口する挿入口２７が形成された筐体２０を備えている。各傾斜板面の内面は鏡面ｆ１〜ｆ４としている。また筐体２０の内部で、一方の内方傾斜板面２３ａに対して平行となる使用位置に退去可能に保持され、該使用位置で内方傾斜板面２２ａと対向する面を鏡面ｆ５とする可動補助鏡板３０を備え、さらに左右両側縁にあって、前記筐体２０を前後方向に回動可能に軸支し、挿入口２７が下方となる位置と、該位置から、９０°前後方向に回転した位置とに変換可能としている。
【選択図】  図１【図１】
0004232989.tif 000002
【図２】
0004232989.tif 000003
【図３】
0004232989.tif 000004
【図４】
0004232989.tif 000005
【図５】
0004232989.tif 000006
【図６】
0004232989.tif 000007
【図７】
0004232989.tif 000008